(57)【要約】【課題】表示装置に接続される他の表示装置の性能に依らず、当該他の表示装置で適切な画像を表示可能にする技術を提供する。【解決手段】本発明の表示装置は、外部から画像データが入力される入力端子と、外部へ画像データが出力される出力端子と、を有する表示装置であって、前記入力端子に入力された第１の色階調特性の画像データを、第２の色階調特性の画像データに変換する変換手段と、前記入力端子に入力された前記第１の色階調特性の画像データと、前記変換手段によって得られた前記第２の色階調特性の画像データとの一方を選択して前記出力端子から出力する選択手段と、を有することを特徴とする。【選択図】図１
2014179875.tif 000002
【特許請求の範囲】
【請求項１】
外部から画像データが入力される入力端子と、外部へ画像データが出力される出力端子と、を有する表示装置であって、
前記入力端子に入力された第１の色階調特性の画像データを、第２の色階調特性の画像データに変換する変換手段と、
前記入力端子に入力された前記第１の色階調特性の画像データと、前記変換手段によって得られた前記第２の色階調特性の画像データとの一方を選択して前記出力端子から出力する選択手段と、
を有することを特徴とする表示装置。
【請求項２】
前記出力端子に接続された他の表示装置で表示可能な画像データの色階調特性を表す性能情報を取得する取得手段を有し、
前記取得手段で取得された前記性能情報で表される前記色階調特性が前記第１の色階調特性と異なる場合に、
前記変換手段は、前記第１の色階調特性の画像データを、前記取得手段で取得された性能情報で表される色階調特性の画像データに変換し、
前記選択手段は、前記変換手段によって得られた画像データを選択して出力する
ことを特徴とする請求項１に記載の表示装置。
【請求項３】
前記選択手段は、ユーザ操作に応じて、出力する画像データを選択する
ことを特徴とする請求項１に記載の表示装置。
【請求項４】
前記第２の色階調特性の色域は、前記第１の色階調特性の色域よりも狭い
ことを特徴とする請求項１〜３のいずれか１項に記載の表示装置。
【請求項５】
前記選択手段は、前記入力端子に前記第２の色階調特性の画像データが入力された場合に、当該画像データを出力する
ことを特徴とする請求項１〜４のいずれか１項に記載の表示装置。
【請求項６】
前記第１の色階調特性の画像データは、色階調特性を変換する第１の色階調変換処理を元データに施したデータであり、
前記変換手段は、
前記第１の色階調特性の画像データに対して前記第１の色階調変換処理の逆変換処理を施すことにより、前記元データを復元し、
復元された前記元データに対して第２の色階調変換処理を施すことにより、前記第２の色階調特性の画像データを生成する
ことを特徴とする請求項１〜５のいずれか１項に記載の表示装置。
【請求項７】
前記入力端子には、画像データとしてシリアルデータが入力されるものであり、
前記出力端子からは、画像データとしてシリアルデータが出力されるものであり、
前記変換手段は、
前記第１の色階調特性の画像データであるシリアルデータを、前記第１の色階調特性の画像データであるパラレルデータに変換し、
前記第１の色階調特性の画像データである前記パラレルデータを、前記第２の色階調特性の画像データであるパラレルデータに変換し、
前記第２の色階調特性の画像データであるパラレルデータを、前記第２の色階調特性の画像データであるシリアルデータに変換する
ことを特徴とする請求項１〜６のいずれか１項に記載の表示装置。
【請求項８】
前記第１の色階調特性の画像データは、ＡＣＥＳ規格の画像データであり、
前記変換手段は、前記ＡＣＥＳ規格で定義されているＲＲＴ処理、ＯＤＴ処理、または、その両方を行うことにより、前記第１の色階調特性の画像データを前記第２の色階調特性の画像データに変換する
ことを特徴とする請求項１〜７のいずれか１項に記載の表示装置。
【請求項９】
外部から画像データが入力される入力端子と、外部へ画像データが出力される出力端子と、を有する表示装置の制御方法であって、
前記入力端子に入力された第１の色階調特性の画像データを、第２の色階調特性の画像データに変換する変換ステップと、
前記入力端子に入力された前記第１の色階調特性の画像データと、前記変換ステップによって得られた前記第２の色階調特性の画像データとの一方を選択して前記出力端子から出力する選択ステップと、
を有することを特徴とする表示装置の制御方法。
【請求項１０】
前記出力端子に接続された他の表示装置で表示可能な画像データの色階調特性を表す性能情報を取得する取得ステップを有し、
前記取得ステップで取得された前記性能情報で表される前記色階調特性が前記第１の色階調特性と異なる場合に、
前記変換ステップでは、前記第１の色階調特性の画像データが、前記取得ステップで取得された性能情報で表される色階調特性の画像データに変換され、
前記選択ステップでは、前記変換ステップによって得られた画像データが選択されて出力される
ことを特徴とする請求項９に記載の表示装置の制御方法。
【請求項１１】
前記選択ステップでは、ユーザ操作に応じて、出力する画像データが選択される
ことを特徴とする請求項９に記載の表示装置の制御方法。
【請求項１２】
前記第２の色階調特性の色域は、前記第１の色階調特性の色域よりも狭い
ことを特徴とする請求項９〜１１のいずれか１項に記載の表示装置の制御方法。
【請求項１３】
前記選択ステップでは、前記入力端子に前記第２の色階調特性の画像データが入力された場合に、当該画像データが出力される
ことを特徴とする請求項９〜１２のいずれか１項に記載の表示装置の制御方法。
【請求項１４】
前記第１の色階調特性の画像データは、色階調特性を変換する第１の色階調変換処理を元データに施したデータであり、
前記変換ステップでは、
前記第１の色階調特性の画像データに対して前記第１の色階調変換処理の逆変換処理を施すことにより、前記元データが復元され、
復元された前記元データに対して第２の色階調変換処理を施すことにより、前記第２の色階調特性の画像データが生成される
ことを特徴とする請求項９〜１３のいずれか１項に記載の表示装置の制御方法。
【請求項１５】
前記入力端子には、画像データとしてシリアルデータが入力されるものであり、
前記出力端子からは、画像データとしてシリアルデータが出力されるものであり、
前記変換ステップでは、
前記第１の色階調特性の画像データであるシリアルデータを、前記第１の色階調特性の画像データであるパラレルデータに変換し、
前記第１の色階調特性の画像データである前記パラレルデータを、前記第２の色階調
特性の画像データであるパラレルデータに変換し、
前記第２の色階調特性の画像データであるパラレルデータを、前記第２の色階調特性の画像データであるシリアルデータに変換する
ことを特徴とする請求項９〜１４のいずれか１項に記載の表示装置の制御方法。
【請求項１６】
前記第１の色階調特性の画像データは、ＡＣＥＳ規格の画像データであり、
前記変換ステップでは、前記ＡＣＥＳ規格で定義されているＲＲＴ処理、ＯＤＴ処理、または、その両方を行うことにより、前記第１の色階調特性の画像データを前記第２の色階調特性の画像データに変換する
ことを特徴とする請求項９〜１５のいずれか１項に記載の表示装置の制御方法。
【発明の詳細な説明】
【技術分野】
【０００１】
本発明は、表示装置及びその制御方法に関する。
【背景技術】
【０００２】
現在、放送分野、画像作成分野における画像データの伝送にはＳＤＩ（シリアルデジタルインタフェース）がよく利用されている。ＳＤＩでは、画像データを含むＳＤＩ信号を伝送することができる。ＳＤＩ信号の入力端子を備えた表示装置は、一般に、入力されたＳＤＩ信号を出力するための出力端子を備える。表示装置の入力端子には、ＳＤＩケーブル（例えば、ＳＤＩ対応同軸ケーブル）を用いて、ＳＤＩ信号を出力する出力装置の出力端子を接続することができる。また、表示装置の出力端子には、ＳＤＩケーブルを用いて、他の表示装置の入力端子を接続することができる。そのため、上記の接続方法で、出力装置と複数の表示装置をデイジーチェーン接続することができ、それにより、複数の表示装置での同一画像の表示を手軽に行うことができる（特許文献１）。
【０００３】
また近年、ＳＭＰＴＥ規格ＡＣＥＳ（Ａｃａｄｅｍｙ  Ｃｏｌｏｒ  Ｅｎｃｏｄｉｎｇ
Ｓｐｅｃｉｆｉｃａｔｉｏｎ）のように、従来よりも広い色域を定義する規格（広色域規格）が提案されてきている。広色域規格の画像データ（例えば、ＡＣＥＳ規格の画像データ（ＡＣＥＳデータ））は、非常に広い色域や非常に高いダイナミックレンジの画像データである。そのため、広色域規格の画像データを現行色域モニタ（ＩＴＵ−Ｒ  ＢＴ．７０９やＤＣＩ等の現行色域規格の画像データの表示にのみ対応した表示装置）で正確に表示することはできない。広色域規格の画像データ（情報量が多い画像データ）を表示するためには、広色域規格の画像データの表示に対応した表示装置（広色域モニタ）が必要になる。
【０００４】
また、表示装置の用途の多様化に伴い画像データの規格の種類も増えてきており、色階調特性（色域や階調範囲）が互いに異なる多くの規格が存在する。表示装置の性能も多種多様であり、現行色域規格の画像データの表示にのみ対応した表示装置や、ＡＣＥＳのような広色域規格の画像データの表示にも対応した表示装置など、表示可能な画像データの色階調特性が互いに異なる多くの表示装置が存在する。
そのため、デイジーチェーン接続された表示装置間で、表示可能な画像データの色階調特性が必ずしも一致しているとは限らず、正確な画像を表示することができないことがある。例えば、出力装置、広色域モニタ、及び、現行色域モニタをその順番でデイジーチェーン接続した場合、出力装置から出力されたＡＣＥＳデータは、広色域モニタと現行色域モニタに順番に入力される。この場合、広色域モニタでは、ＡＣＥＳデータを正確に表示することができるが、現行色域モニタではＡＣＥＳデータを正確に表示することができない（現行色域モニタでは不適切な画像が表示されてしまう）。
【０００５】
なお、Ｒｅｆｅｒｅｎｃｅ  Ｒｅｎｄｅｒｉｎｇ  Ｔｒａｎｓｆｏｒｍ（ＲＲＴ処理）やＯｕｔｐｕｔ  Ｄｅｖｉｃｅ  Ｔｒａｎｓｆｏｒｍ（ＯＤＴ処理）といった色階調変換処理をＡＣＥＳデータに施すことで、ＡＣＥＳデータを現行色域規格の画像データに変換し、ＡＣＥＳデータを現行色域モニタで正確に表示可能にする仕組みが提案されている。しかしながら、現行色域モニタがそのような変換を行う機能を有するとは限らない。
また、特許文献２には、入力されたＨＤ−ＳＤＩ信号をＳＤ−ＳＤＩ信号に加工して出力する技術が開示されている。しかしながら、特許文献２に開示の技術を用いた場合には、デイジーチェーン接続されている複数の表示装置のうち、後段の表示装置がＨＤ−ＳＤＩ信号を処理できるにもかかわらず、後段の表示装置にはＳＤ−ＳＤＩ信号が入力されてしまう。そのため、後段の表示装置では、不適切な画像（本来表示できるはずの画像（Ｈ
Ｄ−ＳＤＩ信号）よりも画質の悪い画像（ＳＤ−ＳＤＩ信号））が表示されてしまう。
【先行技術文献】
【特許文献】
【０００６】
【特許文献１】特開２００４−３３６７６１号公報
【特許文献２】特開２０１２−０２３５３５号公報
【発明の概要】
【発明が解決しようとする課題】
【０００７】
本発明は、表示装置に接続される他の表示装置の性能に依らず、当該他の表示装置で適切な画像を表示可能にする技術を提供することを目的とする。
【課題を解決するための手段】
【０００８】
本発明の表示装置は、
外部から画像データが入力される入力端子と、外部へ画像データが出力される出力端子と、を有する表示装置であって、
前記入力端子に入力された第１の色階調特性の画像データを、第２の色階調特性の画像データに変換する変換手段と、
前記入力端子に入力された前記第１の色階調特性の画像データと、前記変換手段によって得られた前記第２の色階調特性の画像データとの一方を選択して前記出力端子から出力する選択手段と、
を有することを特徴とする。
【０００９】
本発明の表示装置の制御方法は、
外部から画像データが入力される入力端子と、外部へ画像データが出力される出力端子と、を有する表示装置の制御方法であって、
前記入力端子に入力された第１の色階調特性の画像データを、第２の色階調特性の画像データに変換する変換ステップと、
前記入力端子に入力された前記第１の色階調特性の画像データと、前記変換ステップによって得られた前記第２の色階調特性の画像データとの一方を選択して前記出力端子から出力する選択ステップと、
を有することを特徴とする。
【発明の効果】
【００１０】
本発明によれば、表示装置に接続される他の表示装置の性能に依らず、当該他の表示装置で適切な画像が表示可能となる。
【図面の簡単な説明】
【００１１】
【図１】実施例１に係る表示装置の機能構成の一例を示す図
【図２】実施例１に係る表示装置と、他の装置との接続の一例を示す図
【図３】ＳＤＩ信号の構成の一例を示す図
【図４】実施例１に係るモード切替操作メニューの一例を示す図
【図５】実施例１に係る画像変換部の機能構成の一例を示す図
【図６】実施例１に係る画像変換部の処理フローの一例を示す図
【図７】実施例２に係る表示装置の機能構成の一例を示す図
【図８】実施例２に係る画像変換部の機能構成の一例を示す図
【図９】実施例２に係る表示装置と、他の装置との接続の一例を示す図
【図１０】実施例２に係る画像変換部と信号切替部の処理フローの一例を示す図
【図１１】実施例２に係る表示装置の入力と出力の一例を示す図
【発明を実施するための形態】
【００１２】
＜実施例１＞
以下、本発明の実施例１に係る表示装置及びその制御方法について図面を参照して説明する。
図１は、実施例１に係る表示装置の機能構成の一例を示す図である。本実施例に係る表示装置１００は、入力端子１０１、出力端子１０２、ＳＤＩデコーダ１０３、画像変換部１０４、ＳＤＩエンコーダ１０５、信号切替部１０６、ＳＤＩドライバ１０７、画像処理部１０８、画像表示部１０９、などを有する。
【００１３】
図２は、表示装置１００、外部表示装置２００、及び、出力装置３００の接続構成の一例を示す図である。
表示装置１００は、広色域規格の画像データを表示可能な広色域モニタである。広色域規格は、ＩＴＵ−Ｒ  ＢＴ．７０９やＤＣＩ等の現行色域規格よりも広い色域を定義する規格であり、例えばＡＣＥＳなどである。
外部表示装置２００は、現行色域規格の画像データのみを表示可能（広色域規格の画像データを表示できない）現行色域モニタである。
出力装置３００は、画像データを含む信号を出力する装置（例えば、撮像装置やコンピュータ）である。本実施例では、画像データを含む信号として、ＳＤＩ信号が出力される。出力装置３００には、ＡＣＥＳのような広色域規格の画像データ、ＩＴＵ−Ｒ  ＢＴ．７０９やＤＣＩ等の現行色域規格の画像データ、などが蓄積されている。出力装置３００は、蓄積されている画像データを含むＳＤＩ信号を出力することもできるし、蓄積されている画像データに色階調特性を変換する第１の色階調変換処理を施して、第１の色階調変換処理が施された画像データを含むＳＤＩ信号を出力することもできる。第１の色階調変換処理は、第１色階調変換部３０１によって行われる。例えば、出力装置３００（第１色階調変換部３０１）は、第１の色階調変換処理を行うことにより、蓄積されているＡＣＥＳデータ（ＡＣＥＳ規格の画像データ）を、表示装置１００に対応した広色域規格の画像データに変換することができる。換言すれば、出力装置３００は、第１の色階調変換処理を行うことにより、蓄積されているＡＣＥＳデータの色階調特性（色域や階調範囲）を、表示装置１００で表示可能な広色域規格の画像データの色階調特性と一致させることができる。色階調変換処理は、例えば、ＡＣＥＳ規格で定義されているＲｅｆｅｒｅｎｃｅ  Ｒｅｎｄｅｒｉｎｇ  Ｔｒａｎｓｆｏｒｍ（ＲＲＴ処理）やＯｕｔｐｕｔ  Ｄｅｖｉｃｅ
Ｔｒａｎｓｆｏｒｍ（ＯＤＴ処理）である。ＲＲＴ処理は、ＡＣＥＳデータをある理想化された表示デバイスに適合したＯＣＥＳ（Ｏｕｔｐｕｔ  Ｃｏｌｏｒ  Ｅｎｃｏｄｉｎｇ  Ｓｐｅｃｉｆｉｃａｔｉｏｎ）データに変換する基準レンダリング変換処理である。例えば、１Ｄ−ＬＵＴおよび３Ｄ−ＬＵＴを用いた階調変換処理や色補正処理等が含まれる。また、ＯＤＴ処理は、ＲＲＴ処理されたＯＣＥＳデータを出力デバイスに応じて変換する出力デバイス変換処理である。例えば、１Ｄ−ＬＵＴを用いた階調変換処理や色空間変換処理等が含まれる。
【００１４】
図２に示すように、出力装置３００、表示装置１００、及び、外部表示装置２００は、その順番でデイジーチェーン接続されている。具体的には、出力装置３００の出力端子３０２は、ケーブル１０を介して表示装置１００の入力端子１０１に接続されている。表示装置１００の出力端子１０２は、ケーブル１１を介して外部表示装置２００の入力端子２０１に接続されている。ケーブル１０，１１は、ＳＤＩケーブル（例えば、ＳＤＩ対応同軸ケーブル）である。
そのため、出力装置３００が表示装置１００へＳＤＩ信号を出力し、表示装置１００が出力装置３００から入力されたＳＤＩ信号に基づいて画像を表示することとなる。また、表示装置１００が外部表示装置２００へＳＤＩ信号を出力し、外部表示装置２００が表示装置１００から入力されたＳＤＩ信号に基づいて画像を表示することとなる。
【００１５】
図３は、ＳＤＩ信号の構成の一例を示す図である。具体的には、図３は、ＳＭＰＴＥ４２５Ｍに準拠した３Ｇ−ＳＤＩ信号の構成を示す図である。図３に示すように、ＳＤＩ信号は画像データ（ビデオデータ）の終わりを示すデータであるＥＡＶ、補助データであるＡＮＣ、画像データの始まりを示すデータであるＳＡＶ、及び、画像データであるＡＣＴＩＶＥ  ＶＩＤＥＯにより構成される。ＡＣＥＳのような拡張フォーマットにおいては、ＡＮＣに信号の色階調特性等の情報を含めることができる。
【００１６】
次に、表示装置１００の各機能部について説明する。
入力端子１０１は、外部から画像データ（具体的には画像データを含む信号）が入力される端子である。本実施例では、出力装置３００から出力されたＳＤＩ信号が入力端子１０１に入力される。
出力端子１０２は、外部へ画像データが出力される端子である。本実施では、出力端子１０２から外部表示装置２００へＳＤＩ信号が出力される。
ＳＤＩデコーダ１０３は、入力端子１０１に入力されたＳＤＩ信号を、画像変換部１０４と画像処理部１０８で処理可能な低速な信号（本実施例では２０ｂｉｔのパラレル信号）に変換する。例えば、ＳＭＰＴＥ４２４Ｍに準拠した、２．９７Ｇｂｐｓのシリアル信号である３Ｇ−ＳＤＩ信号が入力された場合、ＳＤＩデコーダ１０３により、入力された３Ｇ−ＳＤＩ信号（シリアルデータ）が、１４８．５ＭＨｚ、２０ｂｉｔのパラレル信号（パラレルデータ）に変換される。ＳＤＩデコーダ１０３は、このパラレル信号を画像変換部１０４と画像処理部１０８に出力する。
画像処理部１０８は、受信したパラレル信号からＡＣＴＩＶＥ  ＶＩＤＥＯ（画像データ）を抽出し、抽出した画像データを画像表示部１０９で表示可能な形式の画像信号に変換し、画像信号を画像表示部１０９に出力する。なお、抽出した画像データの色階調特性が表示装置１００に対応した色階調特性でない場合には、画像処理部１０８は、色階調変換処理を行うことにより、抽出した画像データを、表示装置１００に対応した色階調特性の画像データに変換する。その後、画像処理部１０８は、変換によって得られた画像データを画像信号に変換する。
画像表示部１０９は、入力された画像信号に応じた画像を表示する。
画像変換部１０４は、入力端子１０１に入力された第１の色階調特性の画像データを、第２の色階調特性の画像データに変換する。例えば、第１の色階調特性は広色域規格の色階調特性であり、第２の色階調特性は現行色域規格の色階調特性（第１の色階調特性よりも色域の狭い色階調特性）である。入力端子１０１にＡＣＥＳデータが入力された場合には、例えば、ＲＲＴ処理、ＯＤＴ処理、または、その両方を行うことにより、ＡＣＥＳデータ（第１の色階調特性の画像データ）が第２の色階調特性の画像データに変換される。ＡＣＥＳデータは、ＡＣＥＳ規格のデータであって、ＲＲＴ処理前またはＲＲＴ処理後のデータである（本実施例では、ＯＤＴ処理後のデータはＡＣＥＳデータとは呼ばないものとする）。入力端子１０１に入力されたＡＣＥＳデータがＲＲＴ処理後のデータである場合には、ＯＤＴ処理のみを行えばよい。入力端子１０１に入力されたＡＣＥＳデータがＲＲＴ処理前のデータである場合には、ＲＲＴ処理とＯＤＴ処理の両方を行えばよい。但し、入力端子１０１に入力されたＡＣＥＳデータがＲＲＴ処理前のデータであっても、第２の色階調特性が、理想化されたデバイスの特性であったり、外部表示装置２００でＯＤＴ処理が行われたりする場合には、ＲＲＴ処理のみを行えばよい。本実施例では、画像変換部１０４は、入力されたパラレル信号から画像データを抽出し、抽出した画像データの色階調特性を変換する。そして、画像変換部１０４は、色階調特性が変換された画像データを用いてパラレル信号を生成し、生成したパラレル信号をＳＤＩエンコーダ１０５に出力する。画像変換部１０４の詳細については後述する。
ＳＤＩエンコーダ１０５は、画像変換部１０４から出力されたパラレル信号（パラレルデータ）をＳＤＩ信号（シリアルデータ）に変換し、ＳＤＩ信号を信号切替部１０６に出力する。
信号切替部１０６は、入力端子１０１に入力された第１の色階調特性の画像データと、
画像変換部１０４によって得られた第２の色階調特性の画像データとの一方を選択する。具体的には、信号切替部１０６は、入力端子１０１に入力されたＳＤＩ信号と、ＳＤＩエンコーダ１０５から出力されたＳＤＩ信号との一方を、外部（外部表示装置２００）へ出力する信号として選択し、ＳＤＩドライバ１０７に出力する。本実施例では、ユーザ操作に応じて、出力するＳＤＩ信号が選択される。例えば、図４に示すように、ユーザは、表示装置１００の画面に表示された操作メニュー（モード切替操作メニュー）を操作することにより、外部出力モードを選択することができる。図４の例では、外部出力モードとして、７０９モード、ＤＣＩモード、スルーモードのいずれかを選択することができる。７０９モードは、現行色域規格であるＩＴＵ−Ｒ  ＢＴ．７０９の画像データを出力するモードである。７０９モードが選択された場合は、画像変換部１０４によって画像データをＩＴＵ−Ｒ  ＢＴ．７０９の画像データに変換する処理が行われ、信号切替部１０６によってＳＤＩエンコーダ１０５から出力されたＳＤＩ信号が選択される。ＤＣＩモードは、現行色域規格であるＤＣＩの画像データを出力するモードである。ＤＣＩモードが選択された場合は、画像変換部１０４によって画像データをＤＣＩの画像データに変換する処理が行われ、信号切替部１０６によってＳＤＩエンコーダ１０５から出力されたＳＤＩ信号が選択される。ＩＴＵ−Ｒ  ＢＴ．７０９の画像データやＤＣＩの画像データを出力することにより、外部表示装置２００が現行色域モニタであっても、外部表示装置２００で適切な画像（色の乱れ等の無い画像）を表示することができる。スルーモードは、入力端子１０１に入力されたＳＤＩ信号をそのまま出力するモードである。スルーモードが選択された場合は、信号切替部１０６によって、入力端子１０１に入力されたＳＤＩ信号が選択される。このとき、画像変換部１０４は処理を行ってもよいが、処理負荷低減の観点から処理を省略することが好ましい。入力端子１０１に入力された画像データをそのまま出力することにより、外部表示装置２００が広色域モニタである場合に、外部表示装置２００に広色域規格の画像データを伝送することができる。そして、外部表示装置２００で、広色域規格の画像データを、画質を落とすことなく表示することができる。
ＳＤＩドライバ１０７は、信号切替部１０６から出力されたＳＤＩ信号（信号切替部１０６で選択されたＳＤＩ信号）を出力端子１０２から外部（外部表示装置２００）へ出力する。具体的には、ＳＤＩドライバ１０７は、ケーブルによる不平衡出力の低減や長距離伝送に耐えうるドライブ力を得るために信号のバッファリングを行い、出力端子１０２からＳＤＩ信号を出力する。
【００１７】
次に、画像変換部１０４の詳細について説明する。画像変換部１０４は、図５に示すように、信号分離部４０１、逆変換部４０２、第２色階調変換部４０３、フォーマット判定部４０４、ＡＮＣ変換部４０５、信号合成部４０６、などを有する。
画像変換部１０４の内部動作について、図６のフローチャートを用いて説明する。
まず、信号分離部４０１が、入力されたパラレル信号から、画像データ（ＡＣＴＩＶＥ
ＶＩＤＥＯ）と補助データ（ＡＮＣ）をそれぞれ分離（抽出）し、画像データを逆変換部４０２に、補助データをフォーマット判定部４０４に出力する（Ｓ１０１）。
次に、フォーマット判定部４０４が、補助データに含まれる情報から、Ｓ１０２で分離された画像データ（表示装置１００に入力された画像データ）のフォーマットを判別する（Ｓ１０２）。
そして、フォーマット判定部４０４が、Ｓ１０２の判別結果から、分離された画像データが第１の色階調変換処理を元データに施した画像データであるか否かを判定し、判定結果を逆変換部４０２に出力する（Ｓ１０３）。また、フォーマット判定部４０４は、信号分離部４０１から入力された補助データをＡＮＣ変換部４０５に出力する。分離された画像データが第１の色階調変換処理が施された画像データである場合には（Ｓ１０３：Ｙｅｓ）、処理がＳ１０４に進められる。分離された画像データが第１の色階調変換処理が施されていない画像データである場合には（Ｓ１０３：Ｎｏ）、処理がＳ１０５に進められる。なお、Ｓ１０３からＳ１０５へ処理が進められる際に、逆変換部４０２は、Ｓ１０２で分離された画像データを第２色階調変換部４０３にそのまま出力する。
Ｓ１０４では、逆変換部４０２が、Ｓ１０２で分離された画像データに対して第１の色階調変換処理の逆変換処理を施すことにより、元データを復元し、元データを第２色階調変換部４０３に出力する。そして、Ｓ１０５に処理が進められる。
Ｓ１０５では、第２色階調変換部４０３が、設定されている外部出力モードがスルーモードか否かを判断する。スルーモードが設定されていない場合（Ｓ１０５：Ｎｏ）、即ち７０９モードまたはＳＤＩモードが設定されている場合には、Ｓ１０６に処理が進められる。スルーモードが設定されている場合には（Ｓ１０５：Ｙｅｓ）、本フローが終了される。
Ｓ１０６では、第２色階調変換部４０３が、逆変換部４０２から入力された画像データに対して、外部出力モードに対応した色域変換特性の画像データに変換する第２の色階調変換処理を施す。そして、第２色階調変換部４０３は、第２の色階調変換処理が施された画像データを信号合成部４０６に出力する。また、ＡＮＣ変換部４０５が、外部出力モードに応じて、フォーマット判定部４０４から入力された補助データを、第２の色階調変換処理が施された画像データに対応する補助データに変換する（書き換える）。そして、ＡＮＣ変換部４０５は、書き換えた補助データを信号合成部４０６に出力する。
最後に、信号合成部４０６が、第２色階調変換部４０３から入力された画像データと、ＡＮＣ変換部４０５から入力された補助データとを合成し、合成によって得られたデータにＥＡＶとＳＡＶを付加することにより、変換後のパラレル信号を生成する（Ｓ１０７）。
【００１８】
なお、上述したように、スルーモードが設定されている場合には、図６のフローチャートの処理が省略されてもよい。処理負荷低減の観点から、スルーモードが設定されている場合には、図６のフローチャートの処理を省略することが好ましい。
なお、図６のフローチャートの処理は、入力端子１０１に入力された画像データが広色域規格の画像データであるか否かに拘わらず実行されてもよいし、入力端子１０１に入力された画像データが広色域規格の画像データである場合にのみ実行されてもよい。処理負荷低減の観点から、入力端子１０１に入力された画像データが広色域規格の画像データでない（現行色域規格の画像データである）場合には、無条件にスルーモードを設定し、図６のフローチャートの処理を省略することが好ましい。
【００１９】
以上述べたように、本実施例によれば、入力端子１０１に入力された第１の色階調特性の画像データと、画像変換部１０４によって得られた第２の色階調特性の画像データとの一方が選択されて出力端子１０２から出力される。それにより、外部表示装置２００の性能に依らず、外部表示装置２００で適切な画像（適切な色再現性や階調性を有する画像）が表示可能となる。具体的には、ＡＣＥＳ等の広色域規格の画像データと、ＩＴＵ−Ｒ  ＢＴ．７０９やＤＣＩ等の現行色域規格の画像データとの一方を選択して出力することができる。そのため、外部表示装置２００が現行色域モニタである場合には、現行色域規格の画像データを選択することで、外部表示装置２００で適切な画像（色の乱れ等の無い画像）を表示することができる。外部表示装置２００が広色域モニタである場合には、広色域規格の画像データを選択することで、外部表示装置２００で、広色域規格の画像データを、画質を落とすことなく表示することができる。
また、本実施例では、ユーザ操作に応じて、出力端子１０２から出力する画像データが選択されるため、ユーザの好みに合った画像データを選択して表示することができる。
また、本実施例では、図６のＳ１０４において逆変換処理が行われるため、第１の色階調特性の画像データが第１の色階調変換処理を元データに施したデータであっても、第２の色階調特性の画像データを生成することができる。
なお、本実施例では、第２の色階調特性が現行色域規格の色階調特性である場合の例を示したが、第２の色階調特性は第１の色階調特性と異なる広色域規格の色階調特性であってもよい。第１の色階調特性に非対応であり、第１の色階調特性と異なる広色域規格の色階調特性に対応している外部表示装置では、第１の色階調特性の画像データを表示した際
に色が乱れてしまう虞がある。そのため、そのような外部表示装置に対しては、スルーモードで第１の色階調特性の画像データを出力するのではなく、変換により得られた第２の色階調特性の画像データ（第１の色階調特性と異なる広色域規格の色階調特性の画像データ）を出力すればよい。それにより、外部表示装置で適切な画像を表示することができる。
【００２０】
＜実施例２＞
以下、本発明の実施例２に係る表示装置及びその制御方法について図面を参照して説明する。実施例２では、表示装置に接続された他の表示装置（外部表示装置）で表示可能な画像データの色階調特性（例えば、フォーマット）を判別し、外部表示装置に対して適切な画像データ（外部表示装置の性能に合った画像データ）を出力する構成について説明する。なお、以下では、実施例１と異なる点について詳しく説明し、実施例１と同様の点については説明を省略する。
【００２１】
図７は、実施例２に係る表示装置の機能構成の一例を示す図である。本実施例に係る表示装置５００は、実施例１の表示装置１００に性能情報取得部５１０を追加した構成を有する。以下、表示装置５００の各機能部について説明する。なお、実施例１と同じ機能部には同じ符号を付し、その説明は省略する。
性能情報取得部５１０は、出力端子１０２に接続された外部表示装置で表示可能な画像データの色階調特性を表す性能情報と取得し、取得した性能情報に応じて画像変換部５０４及び信号切替部５０６を制御する。
画像変換部５０４は、実施例１の画像変換部１０４と同様の機能を有する。但し、図６のＳ１０６において、性能情報取得部５１０で取得された性能情報で表される色階調特性の画像データへの変換を行う点が、実施例１と異なる。具体的には、画像変換部５０４は、図８に示す構成を有する。第２色階調変換処理部８０３は、性能情報で表される色階調特性に応じた方法で色階調特性を変換する。
信号切替部５０６は、実施例１の信号切替部１０６と同様の機能を有する。但し、性能情報取得部５１０で取得された性能情報で表される色階調特性に応じた画像データを選択する点が、実施例１と異なる。
【００２２】
図９は、表示装置５００、外部表示装置６００、及び、実施例１で説明した出力装置３００の接続構成の一例を示す図である。実施例１と同様に、出力装置３００、表示装置５００、及び、外部表示装置６００は、その順番でデイジーチェーン接続されている。また、外部表示装置６００は自身の性能情報を送信する性能情報送信部６１０を備えており、性能情報送信部６１０はケーブル２０を介して性能情報取得部５１０に接続されている。ケーブル２０はＬＡＮケーブルなどの通信ケーブルであり、表示装置５００はケーブル２０を介して上記性能情報を外部表示装置６００から取得する。
【００２３】
次に、第２色階調変換部８０３における色階調特性の変換（画像データの変換）と信号切替部５０６における信号の選択について、図１０のフローチャートを用いて説明する。
まず、フォーマット判定部４０４が、表示装置５００に入力された画像データの規格が広色域規格であるか否かを判定する（Ｓ２０１）。表示装置５００に入力された画像データの規格が広色域規格である場合は（Ｓ２０１：Ｙｅｓ）、Ｓ２０２に処理が進められる。表示装置５００に入力された画像データの規格が広色域規格でない場合には（Ｓ２０１：Ｎｏ）、Ｓ２０６に処理が進められる。表示装置５００に入力された画像データの規格が広色域規格でない（現行色域規格である）場合には、外部表示装置６００の性能に依らず、表示装置５００に入力された画像データを外部表示装置６００で適切に（色を乱すことなく）表示することができる。そのため、Ｓ２０６では、性能情報取得部５１０が、信号切替部５０６に対しスルーモード（表示装置５００に入力されたＳＤＩ信号をそのまま出力するモード）を設定する。そして、表示装置５００に入力されたＳＤＩ信号がそのま
ま出力される。
Ｓ２０２では、性能情報取得部５１０が、取得した性能情報で表される色階調特性（外部表示装置６００が対応する色階調特性）が表示装置５００（第１の色階調特性）と異なるか否か判定する。外部表示装置６００の色階調特性が表示装置５００と異なる場合は（Ｓ２０２：Ｙｅｓ）、性能情報取得部５１０が信号切替部５０６に対し変換出力モードを設定し、Ｓ２０３へ処理が進められる。変換出力モードは、ＳＤＩエンコーダ１０５から出力されたＳＤＩ信号を出力するモードである。外部表示装置６００の色階調特性が表示装置５００と同じ場合には（Ｓ２０２：Ｎｏ）、表示装置５００に入力された画像データは外部表示装置６００においても適切に（色を乱すことなく）表示することができるため、Ｓ２０６に処理が進められる。
Ｓ２０３〜Ｓ２０５では、表示装置５００に入力された画像データが、取得された性能情報で表される色階調特性の画像データに変換される。なお、変換方法は実施例１（図６）と同様である。但し、図６のＳ１０５の処理は行われず、Ｓ１０４の次とＳ１０６へ処理が進められる。Ｓ１０３：Ｎｏの場合にもＳ１０６へ処理が進められる。
Ｓ２０３では、性能情報取得部５１０が、外部表示装置６００が広色域規格に対応しているか否かを判定する。
外部表示装置６００が広色域規格に対応している場合は（Ｓ２０３：Ｙｅｓ）、第２色階調変換部８０３は、性能情報取得部５１０からの指示に応じて、外部表示装置６００が対応している広色域規格の画像データへの変換を行う（Ｓ２０４）。そして、実施例１と同様に、パラレル信号（第２色階調変換部８０３で得られた画像データを含むパラレル信号）が生成され、生成されたパラレル信号がＳＤＩエンコーダ１０５でＳＤＩ信号に変換される。その後、変換により得られたＳＤＩ信号が選択され、出力端子１０２から出力される。これにより、外部表示装置６００が広色域規格に対応している場合に、外部表示装置６００は、対応する広色域規格の画像データを受信して適切な画像（画質落ちや色の乱れの無い画像）を表示することができる。
一方、外部表示装置６００が広色域規格に対応していない場合は（Ｓ２０３：Ｎｏ）、第２色階調変換部８０３は、性能情報取得部５１０からの指示に応じて、現行色域規格の画像データへの変換を行う（Ｓ２０５）。そして、実施例１と同様に、パラレル信号の生成、ＳＤＩ信号への変換が行われる。その後、変換により得られたＳＤＩ信号が選択され、出力端子１０２から出力される。これにより、外部表示装置６００が広色域規格に対応していない場合に、外部表示装置６００は、現行色域規格の画像データを受信して適切な画像（色の乱れの無い画像）を表示することができる。
【００２４】
表示装置５００に入力される画像データ、表示装置５００から出力される画像データ、及び、外部表示装置６００の性能の関係を図１１に示す。なお、図１１において“スルー”はスルーモードでＳＤＩ信号が出力されたことを意味し、“変換”は変換出力モードでＳＤＩ信号が出力されたことを意味する。また、“第１規格”と“第２規格”は色階調特性が互い異なる広色域規格であり、“現行規格”は現行色域規格である。
【００２５】
以上述べたように、本実施例によれば、接続されている外部表示装置の性能に応じて変換後の色階調特性や出力信号の選択が行われる。それにより、外部表示装置に対して適切な信号をより確実に伝送することができ、外部表示装置で適切な画像をより確実に表示することができる。
【符号の説明】
【００２６】
１００，５００：表示装置  １０１：入力端子  １０２：出力端子  １０４，５０４：画像変換部  １０６，５０６：信号切替部  １０７：ＳＤＩドライバ
【図１】
2014179875.tif 000003
【図２】
2014179875.tif 000004
【図３】
2014179875.tif 000005
【図４】
2014179875.tif 000006
【図５】
2014179875.tif 000007
【図６】
2014179875.tif 000008
【図７】
2014179875.tif 000009
【図８】
2014179875.tif 000010
【図９】
2014179875.tif 000011
【図１０】
2014179875.tif 000012
【図１１】
2014179875.tif 000013